(57)【要約】【課題】この発明は、固有の上限温度を有する加熱シートを使用した加温板、加温棚板及び加温棚を目的としたものであって、安全性、自動温度制御及び加熱シートをより薄く収容することを目的としたものである。【解決手段】この発明は、伝熱板の裏面へ温度制御のできる発熱シートを層着した加温板を、断熱性の枠体内に設置したことを特徴とする加温棚板により目的を達成した。【選択図】      図１
2004160093.tif 000002
【特許請求の範囲】
【請求項１】
伝熱板の裏面へ温度を自動制御のできる発熱シートを層着したことを特徴とする加温板。
【請求項２】
発熱シートは半導体熱変換素子としたことを特徴とする請求項１記載の加温板。
【請求項３】
伝熱板の裏面へ温度制御のできる発熱シートを層着した加温板を、断熱性の枠体内に設置したことを特徴とする加温棚板。
【請求項４】
伝熱板は、表面に長縁と平行な物品支持用の突条を設けたことを特徴とする請求項３記載の加温棚板。
【請求項５】
請求項３記載の加温棚板の複数枚を、棚枠内へ並列設置したことを特徴とする加温棚。
【請求項６】
請求項３記載の加温棚板の複数枚を棚枠内へ並列設置して構成した加温棚を、保温室内の陳列枠に上下複数段に架設したことを特徴とする加温棚を有する保温陳列器。
【発明の詳細な説明】
【０００１】
【発明の属する技術分野】
この発明は、物品を定温で加温しまたは定温で保温することを目的とした加温板及び加温棚板並びに加温棚と保温陳列器に関する。
【０００２】
【従来の技術】
従来加温器などに使用されている電気発熱材は、主として電熱線を利用し、その温度制御には回路中にバイメタルなどよりなる自動温度制御器が使用されていた。
【０００３】
前記電熱線は、絶縁材内に設置され、または絶縁材で挟着セットされているので、全体として厚くなり（例えば５ｍｍ〜１０ｍｍ）、各陳列棚にセットすると全体が大型になり易く、保温器内の適所に発熱器をセットすることも少なくない。
【０００４】
【特許文献１】実開昭６３−５７９６８
【０００５】
【発明により解決しようとする課題】
前記従来の物品の加温器は、主として電熱線を使用するので、発熱部の厚さが大きくなるのみならず、定温加熱できないので、その回路に自動温度調節器を介装することが普通であった。
【０００６】
従って、自動販売器又は陳列器などにおいては、高さの制約上同一高さの陳列器では陳列商品数が少なくなり、同数陳列するには陳列器が高くなる問題点があった。
【０００７】
また、自動温度調節器の精度とか、陳列器内のセンサーの配置、位置と数によって、物品の加熱温度に差を生じるおそれがあるなどの問題点があった。
【０００８】
また、センサー又は温度調節器の誤作動、あるいは故障によって事故を生じるおそれもあった。
【０００９】
【課題を解決するための手段】
この発明は、加温器として温度を自動的に制御できる（温度上限の決まった）発熱シートを用いることにより、前記従来の問題点を解決したのである。
【００１０】
即ち、加温器の発明は、伝熱板の裏面へ温度を自動制御のできる発熱シートを層着したことを特徴とする加温板であり、発熱シートは半導体熱変換素子としたことを特徴とするものである。
【００１１】
また、加温棚板の発明は、伝熱板の裏面へ温度制御のできる発熱シートを層着した加温板を、断熱性の枠体内に設置したことを特徴とする加温棚板であり、伝熱板は、表面に長縁と平行な物品支持用の突条を設けたことを特徴とするものである。
【００１２】
次に、加温棚板の発明は、加温棚板の複数枚を棚枠内へ並列設置したことを特徴とする加温棚である。
【００１３】
また、保温陳列器の発明は、加温棚板の複数枚を棚枠内へ並列設置して構成した加温棚を、保温室内の陳列枠に上下複数段に架設したことを特徴とする加温棚を有する保温陳列器である。
【００１４】
前記発明における発熱シートは、酸化第一錫、二酸化錫を主成分とし、これに酸化鉛系の物質と塩化鉛系の物質を混合し、加温還元させて得た半導体熱変換素子を使用して発熱シートとしたものである。
【００１５】
また、他の発熱シートは、導電条とカーボン粉を主材とするカーボン塗料とを絶縁シートで挟着したものである。
【００１６】
前記発熱シートは、共に１ｍｍ以下の厚さにすることができる（例えば０．３ｍｍ位）。従って、伝熱板（例えばアルミニウム薄板）の下面に添着して使用する場合においても、ほとんどアルミニウム板のみをセットする場合と同様に取り扱うことができる。
【００１７】
この発明の加温棚板の構造について、特に制約はないが、加温板を確実に保持すると共に、物品を正しい姿勢で案内保持すれば、目的を達成することができる。
【００１８】
この発明の保温陳列器は、従来知られている保温陳列器の熱源及びサーモスタットなどの制御機器を取り外したものに相当し、加温部の容積（特に厚さ）が著しく小さくなるので、有効使用できる容積が増加する。
【００１９】
この発明の加温シートは、５０℃〜７０℃の間で使用されるが、目的に応じ低温（例えば３０℃）から高温（例えば１００℃以上）まで自由に選択できると共に、温度制御の精度が高く、発熱シート４の特性を用いるから、サーモスタットのように誤作動又は故障のおそれは皆無である。
【００２０】
しかして、面発熱であるから、伝熱板に対する伝熱効率がよく、層着（貼着）であるから絶線物その他の異物の入る余地はない。
【００２１】
【発明の実施の形態】
この発明は、アルミニウム板のような伝熱性のよい伝熱板の裏面へ、自動温度制御のできる発熱シートを層着して加温板を構成した。前記加温板を断熱性の枠体内に設置することにより加温棚板を構成した。前記加温棚板を棚枠へ並列設置し、この棚枠を保温室内へ収容すれば、この発明の保温陳列器ができる。この発明では、熱源として温度自動制御のできる発熱シート（上限温度の特定された）を用いたので、サーモスタット、センサーその他温度制御自動機器が不要になるのみならず、全体の害を著しく低減し、かつ温度の信頼性を高めることができる。
【００２２】
例えば、同一保温器内へ、６０℃加温、６５℃加温又は７０℃加温と指定する異種物品を陳列させて、指定温度付近の定温保有させることができる。
【００２３】
【実施例１】
この発明の実施例を図１，２について説明する。上面に長縁と平行な突条２，２を有するアルミニウム板１の下面凹入部３へ発熱シート４を層着して加温板５を構成した。図１９はリード線である。
【００２４】
前記突条２，２は物品を支持し、移動を円滑にするもので、必ずしも突条２，２の必要はなく接触面積を比較的少なくし、物品の滑動をスムースにする構造ならば何れも使用することができる。前記実施例ではアルミニウム板１を厚く表現してあるが、要は伝熱と支持との両方を満足させればよく、材質もアルミニウムに限定されるものではない。
【００２５】
【実施例２】
この発明の他の実施例を図３，４について説明する。実施例１の加温板５を平面矩形状の合成樹脂枠６の底板６ａの凹入部６ｂへ収容設置して、この発明の加温棚板７を構成した。
【００２６】
前記加温棚板７内へ物品８（例えばコーヒー缶）を設置するのであるが、合成樹脂枠６の両側壁６ｃ，６ｃは、立ち上がりを大きくとり、物品８を案内させる。また、底板６ａの下面に空間９を設け、断熱空間を形成させてある。
【００２７】
この発明の加温棚板７は、通常の棚板上へ並列裁置しても使用することができるが、次の実施例３のように、棚箱１１とセットして加温棚１０とすることもできる。
【００２８】
【実施例３】
この発明の他の実施例を図５、６、７について説明する。合成樹脂製の棚箱１１内へ加温板５を収容した加温棚板７を上下並列セットすれば、この発明の加温棚１０が構成される（図５）。
【００２９】
前記加温棚１０は、保温陳列器１５の大きさに対応して製造する。前記保温陳列器１５は保温室１２の支柱１３に前後支持杆１４，１４を固定し、この支持杆１４，１４に保温棚１０を架設して構成してある。前記加温棚１０上には物品（例えば缶）が乗せてあり、加温棚１０が手前へ緩傾斜するか、又は最終物品に押圧装置がつけてあって、常時前方へ押しているので、最前部の物品を取ると、次位の物品が押し出されるようになっている（図６）。
【００３０】
前記加温棚板７内の加温板５の下面には加熱シート４が層着してあるので、加温棚板７上の物品８は、発熱シート特有の温度（例えば６０℃）に加温される。
【００３１】
しかして、温度は上限であるから、発熱シート４特有の温度以上に加熱されるおそれはなく、格段毎に上限温度を変えることもできる。
【００３２】
次に図７は、支柱１６へ支持腕杆１７を傾斜して固定し、前記支持腕杆１７上へ加温棚板７を裁置固定して、多段の保温陳列器１５を構成した。図中１８は背板である（図７）。
【００３３】
前記支持腕杆１７は５度〜１５度位（水平面に対し）傾斜しており、加温板７上の物品８が自動滑動できるようにしてある。
【００３４】
【発明の効果】
この発明は、伝熱板の下面に自動制御加熱シートを層着してあるので、伝熱板上の物品を定められた温度に加熱できる効果がある。この加熱シートは、固有の特性によって上限温度が決まるので、設定以上に加熱されたり、故障によって事故を起こすおそれはない。
【００３５】
また、加熱シートはきわめて薄いので、加熱シートを層着することによって各部寸法に影響を及ぼすおそれはないなどの効果がある。
【図面の簡単な説明】
【図１】この発明の加温板の実施例の一部を破切した斜視図。
【図２】同じく加温棚板の実施例の展開斜視図。
【図３】同じく加温棚板の斜視図。
【図４】同じく使用状態の実施例の断面拡大図。
【図５】同じく加温板を複数並列した加温棚板の一部を破切した斜視図。
【図６】同じく保温陳列器の支持状態を示す一部を省略した拡大斜視図
【図７】同じく保温陳列器の実施例の一部を省略した斜視図。
【符号の説明】
１  アルミニウム板
２  突条
３  下面凹入部
４  発熱シート
５  加温板
６  合成樹脂枠
７  加温棚板
８  物品
９  空間
１０  加温棚
１１  棚箱
１２  保温室
１３  支柱
１４  支持杆
１５  保温陳列器
１６  支柱
１７  支持腕杆
１８  背板
１９  リード線
【図１】
2004160093.tif 000003
【図２】
2004160093.tif 000004
【図３】
2004160093.tif 000005
【図４】
2004160093.tif 000006
【図５】
2004160093.tif 000007
【図６】
2004160093.tif 000008
【図７】
2004160093.tif 000009